(57)【要約】【課題】限られた空間に収容されやすく且つ不要な隙間を低減できる熱交換器の提供。【解決手段】第１主熱交換部６１と第２主熱交換部６２とに分割される主熱交換部６０と、補助熱交換部６３とを備える。第１主熱交換部６１は、第１上方熱交換部６６と第１下方熱交換部６７と、第１交差部とを有し、第１上方熱交換部６６と第１下方熱交換部６７との間に隙間が形成される。第２主熱交換部６２は、第２上方熱交換部６８と第２下方熱交換部６９と、第２交差部とを有する。第２上方伝熱管６８ｂ及び第２下方伝熱管６９ｂの空気流れ方向における列数が第１上方伝熱管６６ｂ及び第１下方伝熱管６７ｂの空気流れ方向における列数よりも少ない。第１交差部は、第２交差部を通過する空気流れ方向下流側の位置から外れるように配置され、第２上方熱交換部６８又は第２下方熱交換部６９が、隙間を空気流れ方向上流側から覆う。【選択図】図３
2014040983.tif 000002
【特許請求の範囲】
【請求項１】
外部を通過する空気と内部を流れる冷媒との間で熱交換を行わせる空気調和装置（１）の熱交換器（４２）であって、
主熱交換部（６０）と、
前記主熱交換部の空気流れ方向上流側に配置される補助熱交換部（６３）と、
を備え、
前記主熱交換部は、空気流れ方向下流側に配置される第１主熱交換部（６１）と、前記第１主熱交換部の冷媒経路を延長するように空気流れ方向上流側に配置される第２主熱交換部（６２）と、に分割されており、
前記第１主熱交換部は、複数の第１上方伝熱フィン（６６ａ）と複数の前記第１上方伝熱フィンを貫通する複数の第１上方伝熱管（６６ｂ）とを含み上方に位置する第１上方熱交換部（６６）と、複数の第１下方伝熱フィン（６７ａ）と複数の前記第１下方伝熱フィンを貫通する複数の第１下方伝熱管（６７ｂ）とを含み下方に位置する第１下方熱交換部（６７）と、前記第１上方熱交換部と前記第１下方熱交換部とが交差する又はこれらが仮想的に交差する第１交差部（７４）とを有し、前記第１上方熱交換部と前記第１下方熱交換部との間に隙間（Ｓ）が形成されており、
前記第２主熱交換部（６２）は、複数の第２上方伝熱フィン（６８ａ）と複数の前記第２上方伝熱フィンを貫通する複数の第２上方伝熱管（６８ｂ）とを含み上方に位置する第２上方熱交換部（６８）と、複数の第２下方伝熱フィン（６９ａ）と複数の前記第２下方伝熱フィンを貫通する複数の第２下方伝熱管（６９ｂ）とを含み下方に位置する第２下方熱交換部（６９）と、前記第２上方熱交換部と前記第２下方熱交換部とが交差する又はこれらが仮想的に交差する第２交差部（７５）とを有し、
前記第２主熱交換部の前記第２上方伝熱管及び前記第２下方伝熱管の空気流れ方向における列数が前記第１主熱交換部の前記第１上方伝熱管及び前記第１下方伝熱管の空気流れ方向における列数よりも少なく、
前記第１交差部は、前記第２交差部を通過する空気流れ方向下流側の位置から外れるように配置され、前記第２上方熱交換部又は前記第２下方熱交換部が、前記隙間を空気流れ方向上流側から覆う、
空気調和装置の熱交換器。
【請求項２】
前記補助熱交換部は、上方に位置する上方補助熱交換部（７２）と、下方に位置する下方補助熱交換部（７３）と、前記上方補助熱交換部と前記下方補助熱交換部とが交差する又はこれらが仮想的に交差する補助交差部（７６）と、を有し、
前記第２交差部は、前記第１交差部と前記補助交差部とを結ぶ仮想直線（Ｌ６）上から外れるように配置される、
請求項１に記載の空気調和装置の熱交換器。
【請求項３】
前記第２主熱交換部は、その一部が、
側面視において、前記第１上方熱交換部の下端を含む仮想下端延長線（Ｌ２）と、前記第１下方熱交換部の上端を含む仮想上端延長線（Ｌ３）と、前記補助熱交換部の空気流れ方向下流側において前記補助交差部を含み前記仮想下端延長線と交わる点（Ｐ１）から前記仮想上端延長線と交わる点（Ｐ２）までの部分（７７）と、によって囲まれる空間（Ｓ４）、に位置している、
請求項２に記載の空気調和装置の熱交換器。
【請求項４】
前記上方補助熱交換部は、複数の上方補助伝熱フィン（７２ａ）と、複数の前記上方補助伝熱フィンを貫通する複数の上方補助伝熱管（７２ｂ）と、を有し、
前記下方補助熱交換部は、複数の下方補助伝熱フィン（７３ａ）と、複数の前記下方補助伝熱フィンを貫通する複数の下方補助伝熱管（７３ｂ）と、を有し、
前記第２主熱交換部の前記第２上方伝熱フィン又は前記第２下方伝熱フィンは、側面視において一部が前記補助交差部に重なっており、前記上方補助伝熱フィン及び前記下方補助伝熱フィンと厚み方向に交互に配置されている、
請求項３に記載の空気調和装置の熱交換器。
【請求項５】
凝縮器として機能する場合、
前記主熱交換部から前記補助熱交換部へと冷媒が流れ、前記補助熱交換部には、概ね過冷却の液冷媒が流れている、
請求項２〜４のいずれか１項に記載の空気調和装置の熱交換器。
【請求項６】
前記第１主熱交換部と前記第２主熱交換部とは、空気流れ方向において第１隙間（Ｓ１）が存在するように配置されており、
前記第２主熱交換部と前記補助熱交換部とは、空気流れ方向において第２隙間（Ｓ２）が存在するように配置されており、
前記第２隙間の空気流れ方向における幅（Ｗ２）は、前記第１隙間の空気流れ方向における幅（Ｗ１）よりも大きい、
請求項５に記載の空気調和装置の熱交換器。
【請求項７】
前記第２上方熱交換部と前記第２下方熱交換部とは、分割されており、
前記第２交差部は、前記下方補助熱交換部と前記上方補助熱交換部とが仮想的に交差する、
請求項２〜６のいずれか１項に記載の空気調和装置の熱交換器。
【請求項８】
前記第１主熱交換部は、前記第１上方熱交換部及び前記第１下方熱交換部の背面側に位置する背面側主熱交換部（６５）、をさらに有し、前記背面側主熱交換部と前記第１上方熱交換部及び前記第１下方熱交換部とが側面視においてＶ字形状に組み合わされて構成されており、
前記補助熱交換部は、前記上方補助熱交換部及び前記下方補助熱交換部の背面側に位置する背面側補助熱交換部（７１）、をさらに有し、前記上方補助熱交換部及び前記下方補助熱交換部が前記第２上方熱交換部及び前記第２下方熱交換部の空気流れ方向上流側に位置し且つ前記背面側補助熱交換部が前記背面側主熱交換部の空気流れ方向上流側に位置するように構成されており、
前記補助熱交換部は、前記主熱交換部の空気流れ方向上流側を覆っている、
請求項２〜７のいずれか１項に記載の空気調和装置の熱交換器。
【発明の詳細な説明】
【技術分野】
【０００１】
本発明は、空気調和装置の熱交換器に関する。
【背景技術】
【０００２】
従来、空気調和装置において、外部を通過する空気と、内部を流れる冷媒との間で熱交換を行うことにより、空気を冷却又は加熱する熱交換器が設けられている。例えば、特許文献１（特開２０１０−６５８９９号公報）に開示の空気調和装置では、室内における熱交換器として、前側熱交換器と後側熱交換器とから構成される本体熱交換器としての室内熱交換器と、前側熱交換器の前面及び後面にそれぞれ取り付けられて冷媒の過冷却を促進する補助熱交換器と、が設けられている。この空気調和装置のように、本体熱交換器は、通常、前側熱交換器と後側熱交換器とが逆Ｖ字形状となるように配置されて構成されている。そして、前側熱交換器は、側面視において、上端部分が前方下向きに傾斜し中央部分が鉛直方向に延在し下端部分が後方下向きに傾斜するように、構成されている。そして、上端部分と中央部分との間及び中央部分と下端部分との間には、空間が形成されている。
【発明の概要】
【発明が解決しようとする課題】
【０００３】
近年、省エネ性の高まりと共に、熱交換器の高性能化が要求されている。そして、この要求に応えるために、本体熱交換器における伝熱管の多列化が進んでいる。しかし、伝熱管を多列化していくと、上記空間が大きくなり、不要なスペースが生じてしまう。さらに、熱交換器における伝熱管の多列化により、熱交換器のサイズが大きくなるため、限られた空間に収容することが難しくなると考えられる。
【０００４】
そこで、本発明の課題は、多列化したとしても限られた空間に収容されやすく、且つ、不要なスペースを低減できる空気調和装置の熱交換器を提供することにある。
【課題を解決するための手段】
【０００５】
本発明の第１観点に係る空気調和装置の熱交換器は、外部を通過する空気と内部を流れる冷媒との間で熱交換を行わせる熱交換器であって、主熱交換部と、主熱交換部の空気流れ方向上流側に配置される補助熱交換部とを備える。主熱交換部は、第１主熱交換部と、第２主熱交換部とに分割されている。第１主熱交換部は、空気流れ方向下流側に配置される。第２主熱交換部は、第１主熱交換部の冷媒経路を延長するように空気流れ方向上流側に配置される。第１主熱交換部は、第１上方熱交換部と、第１下方熱交換部と、第１交差部とを有し、第１上方熱交換部と第１下方熱交換部との間に隙間が形成されている。第１上方熱交換部は、複数の第１上方伝熱フィンと複数の第１上方伝熱フィンを貫通する複数の第１上方伝熱管とを含み上方に位置する。第１下方熱交換部は、複数の第１下方伝熱フィンと複数の第１下方伝熱フィンを貫通する複数の第１下方伝熱管とを含み下方に位置する。第１交差部は、第１上方熱交換部と第１下方熱交換部とが交差する又はこれらが仮想的に交差する。第２主熱交換部は、第２上方熱交換部と、第２下方熱交換部と、第２交差部とを有する。第２上方熱交換部は、複数の第２上方伝熱フィンと複数の第２上方伝熱フィンを貫通する複数の第２上方伝熱管とを含み上方に位置する。第２下方熱交換部は、複数の第２下方伝熱フィンと複数の第２下方伝熱フィンを貫通する複数の第２下方伝熱管とを含み下方に位置する。第２交差部は、第２上方熱交換部と第２下方熱交換部とが交差する又はこれらが仮想的に交差する。第２主熱交換部の第２上方伝熱管及び第２下方伝熱管の空気流れ方向における列数が第１主熱交換部の第１上方伝熱管及び第１下方伝熱管の空気流れ方向における列数よりも少ない。第１交差部は、第２交差部を通過する空気流れ方向下流側の位置から外れるように配置され、第２上方熱交換部又は第２下方熱交換部が、隙間を空気流れ方向上流側から覆う。
【０００６】
従来では、多列化してしまうと、主熱交換部の上端がその仮想延長線に沿って上方へと延び且つ下端がその仮想延長線に沿って下方へと延びるので、室内熱交換器自体がサイズアップしてしまう。そこで、本発明では、主熱交換部を分割し、空気流れ方向上流側に位置する第２主熱交換部のうち第２上方熱交換部又は第２下方熱交換部を隙間側へとずらしている。よって、多列化したとしても、主熱交換部、ひいては、室内熱交換器全体のサイズアップを抑制できている。従って、ケーシングの内部空間のように限られた空間に収容しやすくなる。また、本発明では、第２主熱交換部のうち第２上方熱交換部又は第２下方熱交換部を隙間側にずらしていることにより、主熱交換部における隙間を小さくできている。よって、不要なスペースを低減できている。
【０００７】
本発明の第２観点に係る空気調和装置の熱交換器は、本発明の第１観点に係る空気調和装置の熱交換器であって、補助熱交換部は、上方に位置する上方補助熱交換部と、下方に位置する下方補助熱交換部と、上方補助熱交換部と下方補助熱交換部とが交差する又はこれらが仮想的に交差する補助交差部と、を有する。第２交差部は、第１交差部と補助交差部とを結ぶ仮想直線上から外れるように配置される。
【０００８】
本発明では、多列化が望まれるが多列化するとサイズアップが懸念される主熱交換部を、第１主熱交換部と第２主熱交換部とに分割し、空気流れ方向上流側に位置する第２主熱交換部（具体的には、第２上方熱交換部又は第２下方熱交換部）を隙間側へとずらしている。よって、主熱交換部のコンパクト化を図りながら主熱交換部における熱交換量の増大を図ることができている。さらに、主熱交換部における隙間も小さくできるので、不要なスペースの低減もできている。
【０００９】
本発明の第３観点に係る空気調和装置の熱交換器は、本発明の第２観点に係る空気調和装置の熱交換器であって、第２主熱交換部は、その一部が、空間に位置している。上記空間とは、側面視において、第１上方熱交換部の下端を含むその仮想下端延長線と、第１下方熱交換部の上端を含むその仮想上端延長線と、補助熱交換部の空気流れ方向下流側において補助交差部を含み仮想下端延長線と交わる点から仮想上端延長線と交わる点までの部分と、によって囲まれる空間である。
【００１０】
ここで、主熱交換部が、上端がその仮想延長線に沿って延びるように且つ下端がその仮想延長線に沿って延びるように多列化されたとすると、第１主熱交換部、第２主熱交換部及び補助熱交換部の間には、上記のような空間が生じる。このような空間は、不要なスペースとなり、さらに、空気が流れやすくなるので、熱交換効率が低減されることが懸念される。
【００１１】
そこで、本発明では、上記空間に、第２主熱交換部の一部が位置するようにしている。よって、不要なスペースを低減できる。また、上記空間に空気が流れたとしても第２主熱交換部の一部が位置しているので、熱交換がされるようになっている。よって、熱交換効率の低下も抑制できる。
【００１２】
本発明の第４観点に係る空気調和装置の熱交換器は、本発明の第３観点のいずれかに係る空気調和装置の熱交換器であって、上方補助熱交換部は、複数の上方補助伝熱フィンと、複数の上方補助伝熱フィンを貫通する複数の上方補助伝熱管と、を有する。下方補助熱交換部は、複数の下方補助伝熱フィンと、複数の下方補助伝熱フィンを貫通する複数の下方補助伝熱管と、を有する。第２主熱交換部の第２上方伝熱フィン又は第２下方伝熱フィンは、側面視において一部が補助交差部に重なっている。また、第２主熱交換部の第２上方伝熱フィン又は第２下方伝熱フィンは、上方補助伝熱フィン及び下方補助伝熱フィンと厚み方向に交互に配置されている。
【００１３】
ここで、補助交差部には、空気が流れやすくなっている。
【００１４】
そこで、本発明では、第２上方伝熱フィン又は第２下方伝熱フィンを、側面視において一部が補助交差部に重なるように配置し、第２上方伝熱フィン又は第２下方伝熱フィンと、上方補助伝熱フィン及び下方補助伝熱フィンとを厚み方向に交互に配置している。これにより、補助交差部における空気の通り抜けをできるだけ回避できる。よって、室内熱交換器における熱交換効率の低下を抑制できる。
【００１５】
本発明の第５観点に係る空気調和装置の熱交換器は、本発明の第２観点〜第４観点のいずれかに係る空気調和装置の熱交換器であって、凝縮器として機能する場合、主熱交換部から補助熱交換部へと冷媒が流れ、補助熱交換部には、概ね過冷却の液冷媒が流れている。
【００１６】
本発明では、補助熱交換部の冷媒経路を、液冷媒を過冷却液にする過冷却域として機能させている。これにより、冷媒の過冷却度を大きくとることができるので、空気調和装置の省エネ性を向上できる。
【００１７】
本発明の第６観点に係る空気調和装置の熱交換器は、本発明の第５観点のいずれかに係る空気調和装置の熱交換器であって、第１主熱交換部と第２主熱交換部とは、空気流れ方向において第１隙間が存在するように配置されている。また、第２主熱交換部と補助熱交換部とは、空気流れ方向において第２隙間が存在するように配置されている。第２隙間の空気流れ方向における幅は、第１隙間の空気流れ方向における幅よりも大きい。
【００１８】
本発明では、補助熱交換部の冷媒経路には、概ね過冷却の液冷媒が流れており、主熱交換部の冷媒経路を流れる冷媒との間で、温度差が生じると考えられる。よって、第１隙間及び第２隙間の空気流れ方向における幅を変えることで、概ね過冷却冷媒が流れる補助熱交換部の冷媒経路と、主熱交換部の冷媒経路との間で、冷媒間の温度差が生じたとしても、これらの間での熱伝導を回避できるようになっている。よって、暖房時の室内熱交換器の性能を維持できる。
【００１９】
本発明の第７観点に係る空気調和装置の熱交換器は、本発明の第２観点〜第６観点のいずれかに係る空気調和装置の熱交換器であって、第２上方熱交換部と第２下方熱交換部とは、分割されている。第２交差部は、下方補助熱交換部と上方補助熱交換部とが仮想的に交差する。
【００２０】
本発明では、第２上方熱交換部又は第２下方熱交換部を隙間側にずらしても他方の熱交換部が一体的に同方向にずれないので、第２上方熱交換部又は第２下方熱交換部を隙間側にずらしやすい。よって、主熱交換部、ひいては、室内熱交換器のコンパクト化をより図ることができる。
【００２１】
本発明の第８観点に係る空気調和装置の熱交換器は、本発明の第２観点〜第７観点のいずれかに係る空気調和装置の熱交換器であって、第１主熱交換部は、第１上方熱交換部及び第１下方熱交換部の背面側に位置する背面側主熱交換部、をさらに有する。また、第１主熱交換部は、背面側主熱交換部と第１上方熱交換部及び第１下方熱交換部とが側面視においてＶ字形状に組み合わされて構成されている。補助熱交換部は、上方補助熱交換部及び下方補助熱交換部の背面側に位置する背面側補助熱交換部、をさらに有する。また、補助熱交換部は、上方補助熱交換部及び下方補助熱交換部が、第２上方熱交換部及び第２下方熱交換部の空気流れ方向上流側に位置し、且つ、背面側補助熱交換部が、背面側主熱交換部の空気流れ方向上流側に位置するように構成されている。さらに、補助熱交換部は、主熱交換部の空気流れ方向上流側を覆っている。
【００２２】
本発明では、過冷却域として使用される補助熱交換部の冷媒経路をできるだけ長くとっている。よって、補助熱交換部の冷媒経路において、十分に冷媒を過冷却することができるので、冷媒の過冷却度を大きくとることができるようになっている。よって、空気調和装置の省エネ性を向上しやすい。
【００２３】
なお、補助熱交換部は、主熱交換部の空気流れ方向上流側を９５％以上覆っていることが好ましい。
【発明の効果】
【００２４】
本発明の第１観点に係る空気調和装置の熱交換器では、多列化したとしても限られた空間に収容されやすく、且つ、不要なスペースを低減できる。
【００２５】
本発明の第２観点に係る空気調和装置の熱交換器では、主熱交換部のコンパクト化を図りながら主熱交換部における熱交換量の増大を図ることができている。さらに、主熱交換部における隙間も小さくできるので、不要なスペースの低減もできている。
【００２６】
本発明の第３観点に係る空気調和装置の熱交換器では、不要なスペースを低減でき、熱交換効率の低下も抑制できる。
【００２７】
本発明の第４観点に係る空気調和装置の熱交換器では、室内熱交換器における熱交換効率の低下を抑制できる。
【００２８】
本発明の第５観点に係る空気調和装置の熱交換器では、空気調和装置の省エネ性を向上できる。
【００２９】
本発明の第６観点に係る空気調和装置の熱交換器では、暖房時の室内熱交換器の性能を維持できる。
【００３０】
本発明の第７観点に係る空気調和装置の熱交換器では、主熱交換部、ひいては、室内熱交換器のコンパクト化をより図ることができる。
【００３１】
本発明の第８観点に係る空気調和装置の熱交換器では、空気調和装置の省エネ性を向上しやすい。
【図面の簡単な説明】
【００３２】
【図１】本発明の一実施形態に係る熱交換器を備える空気調和装置の概略構成図。
【図２】室内ユニットの概略の外観図。
【図３】室内ユニットの概略の縦断面図。
【図４】図３の室内熱交換器の拡大縦断面図（断面を示すハッチングは省略）。
【図５】冷房運転時の室内熱交換器における冷媒流れを示す室内熱交換器及び室内ファンの模式図。
【図６】暖房運転時の室内熱交換器における冷媒流れを示す室内熱交換器及び室内ファンの模式図。
【発明を実施するための形態】
【００３３】
以下、本発明の一実施形態に係る熱交換器を備える一実施形態の空気調和装置について、図面を参照しつつ詳述する。
【００３４】
（１）空気調和装置の構成及び動作
図１は、本発明の一実施形態に係る熱交換器を備える空気調和装置１の概略構成図である。空気調和装置１は、冷房運転と暖房運転とが切換可能な空気調和装置であり、室外ユニット２と、室内ユニット４と、室外ユニット２及び室内ユニット４とを接続する冷媒連絡配管７，８と、を有している。そして、室外ユニット２と、室内ユニット４と、冷媒連絡配管７，８とにより、空気調和装置１の冷媒回路１０が構成されている。
【００３５】
（１−１）室外ユニット
室外ユニット２は、冷媒回路１０の一部を構成する室外側冷媒回路１０ａを有している。室外側冷媒回路１０ａは、主として、圧縮機２１と、室外熱交換器２２と、四路切換弁２３と、膨張機構２４とを有している。
【００３６】
圧縮機２１は、吸入冷媒を圧縮するために用いられるインバータ式の圧縮機である。室外熱交換器２２は、複数の伝熱管と複数の伝熱フィンとから構成されるクロスフィン型の熱交換器であり、外部を通過する空気と伝熱管の内部を流れる冷媒との間で熱交換を行わせる。そして、これにより、室外熱交換器２２は、冷房運転時に冷媒を冷却する凝縮器として機能し、暖房運転時に冷媒を加熱する蒸発器として機能する。尚、室外ファン２５によって空気流れが生成されることにより室外熱交換器２２の外部を空気が通過する。四路切換弁２３は、冷媒回路１０を流れる冷媒の流れ方向を切り換えることにより、冷房運転サイクルと暖房運転サイクルとを切り換える。四路切換弁２３は、冷房運転時に、圧縮機２１の吐出側と室外熱交換器２２の一端とを接続すると共に、圧縮機２１の吸入側と室内熱交換器４２の一端とを接続する（図１の四路切換弁２３の実線を参照）。他方、四路切換弁２３は、暖房運転時に、圧縮機２１の吐出側と室内熱交換器４２の一端とを接続すると共に、圧縮機２１の吸入側と室外熱交換器２２の一端とを接続する（図１の四路切換弁２３の点線を参照）。膨張機構２４は、室外熱交換器２２と室内熱交換器４２との間に設けられる電動膨張弁であり、室外熱交換器２２又は室内熱交換器４２から流れてくる高圧冷媒を冷凍サイクルにおける低圧付近まで減圧する。
【００３７】
（１−２）室内ユニット
室内ユニット４は、室外側冷媒回路１０ａと共に冷媒回路１０を構成する室内側冷媒回路１０ｂを有している。室内側冷媒回路１０ｂは、主として、室内熱交換器４２を有している。室内熱交換器４２は、外部を通過する空気と内部を流れる冷媒との間で熱交換を行わせる。そして、これにより、室内熱交換器４２は、冷房運転時に、冷媒を加熱する蒸発器として機能して室内空気を冷却し、暖房運転時に、冷媒を冷却する凝縮器として機能して室内空気を加熱する。尚、室内ファン４３によって空気流れが生成されることにより室内熱交換器４２の外部を空気が通過する。
【００３８】
尚、室内ユニット４の構成については、後にも説明する。
【００３９】
（１−３）動作
以上のような冷媒回路１０を有する空気調和装置１の冷房運転時及び暖房運転時の動作を、図１を用いて、冷媒回路１０を循環する冷媒の流れに基づいて説明する。尚、空気調和装置１における種々の機器は、制御部（図示せず）によって制御される。例えば、制御部によって、膨張機構２４の開度、室外ファン２５及び室内ファン４３の回転数、圧縮機２１の回転数、四路切換弁２３の切換等が制御される。
【００４０】
（１−３−１）冷房運転時
圧縮機２１が駆動されると、冷凍サイクルにおける低圧の冷媒は、圧縮機２１に吸入される。圧縮機２１に吸入された低圧の冷媒は、圧縮機２１によって冷凍サイクルにおける高圧まで圧縮されて吐出される。圧縮機２１から吐出された高圧の冷媒は、図１の実線状態に切り換えられた四路切換弁２３を介して室外熱交換器２２に送られる。室外熱交換器２２に送られた高圧の冷媒は、室外熱交換器２２内で外部を通過する空気と熱交換されて冷却される。冷却された高圧の冷媒は、膨張機構２４に送られる。膨張機構２４に送られた高圧の冷媒は、膨張機構２４を通過する際に減圧されて、冷凍サイクルにおける低圧且つ気液二相状態の冷媒となり、冷媒連絡配管７を通じて室内ユニット４へと送られる。そして、室内ユニット４へと送られた低圧且つ気液二相状態の冷媒は、室内熱交換器４２において外部を通過する空気と熱交換されて加熱され蒸発する。加熱された低圧の冷媒は、冷媒連絡配管８を介して室外ユニット２へと送られ、再び圧縮機２１に吸入される。
【００４１】
（１−３−２）暖房運転時
圧縮機２１が駆動されると、冷凍サイクルにおける低圧の冷媒は、圧縮機２１に吸入される。圧縮機２１に吸入された低圧の冷媒は、圧縮機２１によって冷凍サイクルにおける高圧まで圧縮されて吐出される。圧縮機２１から吐出された高圧の冷媒は、図１の点線状態に切り換えられた四路切換弁２３及び冷媒連絡配管８を介して室内ユニット４に送られる。室内ユニット４に送られた高圧の冷媒は、室内熱交換器４２において外部を通過する空気と熱交換されて冷却される。室内熱交換器４２において冷却された高圧の冷媒は、冷媒連絡配管７を通じて室外ユニット２に送られる。室外ユニット２に送られた高圧の冷媒は、膨張機構２４を通過する際に減圧されて、冷凍サイクルにおける低圧且つ気液二相状態の冷媒となり、室外熱交換器２２に送られる。室外熱交換器２２に送られた低圧且つ気液二相状態の冷媒は、室外熱交換器２２内で外部を通過する空気と熱交換されて加熱され蒸発する。加熱された低圧の冷媒は、再び圧縮機２１に吸入される。
【００４２】
（２）室内ユニットの詳細構成
図２は、室内ユニット４の概略の外観図である。図３は、室内ユニット４の概略の縦断面図である。室内ユニット４は、室内の壁面等に取り付けられており、図２及び図３に示すように、主として、ケーシング４１と、上述した室内熱交換器４２及び室内ファン４３（図３を参照）と、底フレーム４４（図３を参照）と、を有している。以下の説明においては、「上」「下」「左」「右」「前面」「背面」等の方向を示す表現を適宜用いるが、これらは、特にことわりのない限り、室内ユニット４が図２の状態で室内の壁面等に設置された状態での方向を意味するものとする。
【００４３】
（２−１）ケーシング
ケーシング４１は、壁面に沿って細長く延びる箱状形状を有している。具体的には、ケーシング４１は、図２及び図３に示すように、天面板４１ａ、前面板４１ｂ及び背面板４１ｃを有している。そして、ケーシング４１の内部に、図３に示すように、室内熱交換器４２、室内ファン４３及び底フレーム４４が収容されている。
【００４４】
天面板４１ａは、主として、ケーシング４１の天面を構成する。天面板４１ａには、前側領域に、天面吸込口４８が形成されている。天面吸込口４８は、ケーシング４１の内部に臨む開口であり、天面吸込口４８周辺の室内空気をケーシング４１の内部に導入する開口である。尚、図３の太線且つ点線の矢印は、室内ファン４３によって生成される、ケーシング４１の内部における空気流れを示している。
【００４５】
前面板４１ｂは、主として、ケーシング４１の前面を構成する。尚、前面板４１ｂは、その上端が天面板４１ａに支持されており、天面板４１ａとの接触部分を中心として回動できるようになっている。背面板４１ｃは、主として、ケーシング４１の背面を構成している。この背面板４１ｃが、室内の壁面等に設置された取り付け板（図示せず）にビス止め等によって取り付けられることで、室内ユニット４が室内の壁面等に設置される。
【００４６】
ケーシング４１の下面は、主として、底フレーム４４の底部４４ａ（後述する）によって構成されている。そして、ケーシング４１の下面には、下面吸込口４９と、吹出口５１とが形成されている（図２も参照）。下面吸込口４９及び吹出口５１は、ケーシング４１の長手方向に沿って延びるように形成されている。下面吸込口４９は、吹出口５１よりも背面側に設けられている。また、下面吸込口４９は、ケーシング４１の内部に形成される吸込流路５２に臨んでおり、下面吸込口４９周辺の室内空気をケーシング４１の内部に導入する。ここで、吸込流路５２は、底フレーム４４の流路形成部４４ｂ（後述する）の背面に沿って流路形成部４４ｂの背面側に形成される空間である。
【００４７】
吹出口５１は、下面吸込口４９よりも前面側に設けられており、ケーシング４１の内部に形成される吹出流路５３に臨む開口である。吹出口５１は、ケーシング４１の内部において熱交換された空気を室内へと吹き出す。ここで、吹出流路５３は、底フレーム４４の流路形成部４４ｂの前面に沿って流路形成部４４ｂの前面側に形成される空間である。すなわち、吸込流路５２及び吹出流路５３は、底フレーム４４の流路形成部４４ｂを挟んで互いに隣接して位置している。吹出口５１付近には、水平フラップ５１ａがケーシング４１に対して回動自在に取り付けられている。水平フラップ５１ａは、フラップ用モータ（図示せず）によって駆動し、室内ユニット４の運転状態に応じて吹出口５１を開閉する。さらに、水平フラップ５１ａは、吹出口５１から吹き出される熱交換後の空気がユーザの所望する方向へと案内されるように、熱交換後の空気の吹き出し方向を変更する役割を担う。尚、図２は、水平フラップ５１ａが吹出口５１を閉じている状態を示し、図３は、水平フラップ５１ａが吹出口５１を開けている状態を示している。
【００４８】
（２−２）室内ファン
室内ファン４３は、ケーシング４１の長手方向に沿って延びる略円筒形状のクロスフローファンである。室内ファン４３は、ケーシング４１の長手方向に延びる駆動軸がファンモータ（図示せず）に接続されており、ファンモータの駆動により駆動軸を介して回転する。そして、室内ファン４３は、回転することで、図３の点線且つ太線の矢印で示す空気流れを生成する。具体的には、室内ファン４３は、回転することで、天面吸込口４８及び下面吸込口４９のそれぞれからケーシング４１の内部に導入されて室内熱交換器４２を通過し最終的に吹出口５１から室内へと吹き出される空気流れ、を生成する。
【００４９】
（２−３）底フレーム
底フレーム４４は、底部４４ａと流路形成部４４ｂとから構成されている。
【００５０】
底部４４ａは、ケーシング４１の下面の一部を構成しており、その下面が外部（室内空間）に面している。流路形成部４４ｂは、底部４４ａの前端部から上方に延びている。流路形成部４４ｂは、室内ファン４３の形状に沿って湾曲する円弧状部４４ｃと、円弧状部４４ｃの上下方向における途中から後方に向かって分岐する分岐部４４ｄとから構成されている。流路形成部４４ｂの背面には、断熱材５４が設けられている。
【００５１】
（２−４）室内熱交換器
（２−４−１）構成
図４は、図３の室内熱交換器４２の拡大断面図である（断面を示すためのハッチングは省略）。
【００５２】
室内熱交換器４２は、図３及び図４に示すように、側面視において両端が下方に向くように曲がる逆Ｖ字形状を有している。また、図３に示すように、室内熱交換器４２の上下方向における略中央部より下方且つ空気流れ方向下流側には、室内ファン４３が位置している。室内熱交換器４２は、底フレーム４４の一部分（具体的には、分岐部４４ｄ）に取り付けられている。室内熱交換器４２は、外部を通過する空気と内部を流れる冷媒との間で熱交換を行わせ、図３及び図４に示すように、主として、主熱交換部６０と、主熱交換部６０の空気流れ方向上流側に配置される補助熱交換部６３と、を有している。
【００５３】
（２−４−１−１）主熱交換部
主熱交換部６０は、主として、空気流れ方向下流側に配置される第１主熱交換部６１と、第１主熱交換部６１の冷媒経路を延長するように空気流れ方向上流側に配置される第２主熱交換部６２と、から構成されている。すなわち、室内熱交換器４２は、空気流れ方向の最も下流側に位置する第１主熱交換部６１の空気流れ方向下流側部分が室内ファン４３と対向するように、配置されている（図３を参照）。ここで、第１主熱交換部６１と、第２主熱交換部６２とは、空気流れ方向に分割されている、すなわち、別体である。
【００５４】
（２−４−１−１−１）第１主熱交換部
第１主熱交換部６１は、前面側に位置する第１前面側主熱交換部６４と、第１前面側主熱交換部６４の背面側に位置する背面側主熱交換部６５と、を有している。そして、第１前面側主熱交換部６４と背面側主熱交換部６５とは、側面視において、逆Ｖ字形状に組み合わされるように構成されている。
【００５５】
背面側主熱交換部６５は、壁面に対して平行に延びる鉛直面に対して前面側に倒れるように傾斜して配置されている。背面側主熱交換部６５は、複数の背面側主伝熱フィン６５ａと、複数の背面側主伝熱フィン６５ａの厚み方向に貫通する複数の背面側主伝熱管６５ｂと、を有している。背面側主伝熱フィン６５ａは、幅広の平面部がケーシング４１の長手方向を向くように配置されている。背面側主伝熱管６５ｂは、ケーシング４１の長手方向に延びる直管から構成されている。尚、隣接する背面側主伝熱管６５ｂの長手方向一端同士は、Ｕ字管（図示せず）によって接続されている。背面側主熱交換部６５は、背面側主伝熱管６５ｂの空気流れ方向における列数が複数（本実施形態では、２列）となるように構成されている。また、背面側主熱交換部６５は、背面側主伝熱管６５ｂの、空気流れに直交する方向における段数が１０段となるように構成されている。
【００５６】
さらに、第１主熱交換部６１は、第１前面側主熱交換部６４が、上下方向に折り曲げられることにより後方に向かって開く「く」の字形状となるように構成されている。具体的には、第１前面側主熱交換部６４は、背面側主熱交換部６５との接触部分から前方且つ下方に向かって傾斜する第１上方熱交換部６６と、第１上方熱交換部６６との接触部分から後方且つ下方に向かって傾斜する第１下方熱交換部６７と、を有している。さらに、第１前面側主熱交換部６４は、図４に示すように、第１上方熱交換部６６と第１下方熱交換部６７とが交差する第１交差部７４を有している。そして、第１前面側主熱交換部６４が上下方向に折り曲げられることにより、第１上方熱交換部６６と第１下方熱交換部６７との上下方向における間には、隙間Ｓが形成されている。具体的には、隙間Ｓは、第１交差部７４の空気流れ方向上流側に位置しており、第１上方熱交換部６６の下端と第１下方熱交換部６７の上端との間に形成されている。また、隙間Ｓは、側面視において、前方に向かって開くＶ字形状を有している。尚、この隙間Ｓには、空気が流れやすくなるため、本実施形態では、隙間Ｓに空気が流れるのを回避するために、隙間Ｓに側面視においてＶ字形状を有するシール部材７９を配置している。シール部材７９は、上部が第１上方熱交換部６６の下端に沿うように且つ下部が第１下方熱交換部６７の上端に沿うように配置されている。
【００５７】
第１上方熱交換部６６は、第１下方熱交換部６７の上方に位置し、複数の第１上方伝熱フィン６６ａと、複数の第１上方伝熱フィン６６ａの厚み方向に貫通する複数の第１上方伝熱管６６ｂと、を有している。第１上方伝熱フィン６６ａは、幅広の平面部がケーシング４１の長手方向を向くように配置されている。第１上方伝熱管６６ｂは、ケーシング４１の長手方向に延びる直管から構成されている。尚、隣接する第１上方伝熱管６６ｂの長手方向一端同士は、Ｕ字管（図示せず）によって接続されている。第１上方熱交換部６６は、第１上方伝熱管６６ｂの空気流れ方向における列数が複数（本実施形態では、３列）となるように構成されている。また、第１上方熱交換部６６は、第１上方伝熱管６６ｂの、空気流れに直交する方向における段数が８段となるように構成されている。
【００５８】
第１下方熱交換部６７は、第１上方熱交換部６６の下方に位置し、複数の第１下方伝熱フィン６７ａと、複数の第１下方伝熱フィン６７ａの厚み方向に貫通する複数の第１下方伝熱管６７ｂと、を有している。第１下方伝熱フィン６７ａは、幅広の平面部がケーシング４１の長手方向を向くように配置されている。第１下方伝熱管６７ｂは、ケーシング４１の長手方向に延びる直管から構成されている。尚、隣接する第１下方伝熱管６７ｂの長手方向一端同士は、Ｕ字管（図示せず）によって接続されている。第１下方熱交換部６７は、第１上方熱交換部６６と同様に、第１下方伝熱管６７ｂの空気流れ方向における列数が複数（本実施形態では、３列）となるように構成されている。また、第１下方熱交換部６７は、第１下方伝熱管６７ｂの、空気流れに直交する方向における段数が６段となるように構成されている。
【００５９】
（２−４−１−１−２）第２主熱交換部
第２主熱交換部６２は、第１主熱交換部６１の冷媒経路を延長して第１主熱交換部６１における熱交換量を増大させるために第１主熱交換部６１の空気流れ方向上流側に接続される熱交換部である。第１主熱交換部６１と第２主熱交換部６２とは、空気流れ方向において第１隙間Ｓ１が存在するように配置されている。また、第２主熱交換部６２は、第１主熱交換部６１よりも小さく構成されている。第２主熱交換部６２は、上方に位置する第２上方熱交換部６８と、下方に位置する第２下方熱交換部６９と、を有している。尚、第２上方熱交換部６８と、第２下方熱交換部６９とは、分割されており、別体となっている。
【００６０】
第２上方熱交換部６８は、第１上方熱交換部６６の空気流れ方向上流側に位置している。第２下方熱交換部６９は、第１下方熱交換部６７の空気流れ方向上流側に位置している。つまり、第２主熱交換部６２は、前面側にのみ配置されており、背面側には配置されていない。そして、主熱交換部６０のうち前面側に位置する部分（具体的には、第１前面側主熱交換部６４及び第２主熱交換部６２）と背面側主熱交換部６５とに着目してみても、これらは、側面視において、逆Ｖ字形状に組み合わされるように構成されている。尚、主熱交換部６０のうち前面側に位置する部分、すなわち、第１前面側主熱交換部６４及び第２主熱交換部６２を、以下では、適宜、前面側主熱交換部という。
【００６１】
また、第２上方熱交換部６８は、第２下方熱交換部６９の上方に位置している。具体的には、第２上方熱交換部６８は、側面視において、その上端が、第１上方熱交換部６６の上端の仮想延長線Ｌ１よりも下方に位置するように配置されている。これにより、第２上方熱交換部６８の一部（下端部）が、第１主熱交換部６１に形成される隙間Ｓを空気流れ方向上流側から覆っている。より具体的に説明すると、第２主熱交換部６２は、その一部（第２上方熱交換部６８の下端部）が、側面視において、仮想下端延長線Ｌ２と、仮想上端延長線Ｌ３と、補助下流部７７とによって囲まれる空間Ｓ４（図４のドットのハッチングで示す空間）に位置するように、配置されている。仮想下端延長線Ｌ２とは、第１上方熱交換部６６の下端を含みその下端を延長した仮想線である。仮想上端延長線Ｌ３とは、第１下方熱交換部６７の上端を含みその上端を延長した仮想線である。補助下流部７７とは、補助熱交換部６３の空気流れ方向下流側部分において、仮想下端延長線Ｌ２と交わる点Ｐ１から仮想上端延長線Ｌ３と交わる点Ｐ２までの部分である。この補助下流部７７は、後述する補助交差部７６を含んでいる。
【００６２】
ここで、第２主熱交換部６２は、図４に示すように、第２上方熱交換部６８と第２下方熱交換部６９とが仮想的に交差する第２交差部７５をさらに有している。第２交差部７５は、第２上方熱交換部６８の空気流れ方向下流端に沿って延びる仮想線Ｌ４と、第２下方熱交換部６９の空気流れ方向上流端に沿って延びる仮想線Ｌ５とが交差する部分である。尚、第２上方熱交換部６８の上端が側面視において仮想延長線Ｌ１よりも下方に位置するように配置されていることにより、第２交差部７５は、仮想直線Ｌ６上から外れるように配置されている。具体的には、第２交差部７５は、仮想直線Ｌ６よりも下方に位置している。
【００６３】
ここで、仮想直線Ｌ６とは、後述する補助交差部７６と、第１交差部７４とを結ぶ仮想直線である。つまり、第１交差部７４は、補助交差部７６を通過する空気の流れ方向下流側の位置に配置されており、第２交差部７５を通過する空気の流れ方向下流側の位置から外れるように配置されているといえる。
【００６４】
また、第２上方熱交換部６８は、複数の第２上方伝熱フィン６８ａと、複数の第２上方伝熱フィン６８ａの厚み方向に貫通する複数の第２上方伝熱管６８ｂと、を有している。第２上方伝熱フィン６８ａは、幅広の平面部がケーシング４１の長手方向を向くように配置されている。また、第２上方伝熱フィン６８ａは、側面視において、一部が補助交差部７６に重なっている。具体的には、第２上方伝熱フィン６８ａは、側面視において、その下端部であって空気流れ方向上流側部分が補助交差部７６に重なっている。第２上方伝熱管６８ｂは、ケーシング４１の長手方向に延びる直管から構成されている。尚、隣接する第２上方伝熱管６８ｂの長手方向一端同士は、Ｕ字管（図示せず）によって接続されている。第２上方熱交換部６８は、第２上方伝熱管６８ｂの空気流れ方向における列数が１列となるように構成されている。また、第２上方熱交換部６８は、第２上方伝熱管６８ｂの空気流れに直交する方向における段数が８段となるように構成されている。
【００６５】
第２下方熱交換部６９は、第２上方熱交換部６８の下方に位置し、複数の第２下方伝熱フィン６９ａと、複数の第２下方伝熱フィン６９ａの厚み方向に貫通する複数の第２下方伝熱管６９ｂと、を有している。第２下方伝熱フィン６９ａは、幅広の平面部がケーシング４１の長手方向を向くように配置されている。第２下方伝熱管６９ｂは、ケーシング４１の長手方向に延びる直管から構成されている。尚、隣接する第２下方伝熱管６９ｂの長手方向一端同士は、Ｕ字管（図示せず）によって接続されている。第２下方熱交換部６９は、第２上方熱交換部６８と同様に、第２下方伝熱管６９ｂの空気流れ方向における列数が１列となるように構成されている。このように、本実施形態では、第２主熱交換部６２の第２上方伝熱管６８ｂ及び第２下方伝熱管６９ｂの空気流れ方向における列数が、第１主熱交換部６１の第１上方伝熱管６６ｂ及び第１下方伝熱管６７ｂの空気流れ方向における列数よりも少なくなっている。尚、第２上方伝熱管６８ｂ及び第２下方伝熱管６９ｂの空気流れ方向における列数は、第１上方伝熱管６６ｂ及び第１下方伝熱管６７ｂの空気流れ方向における列数よりも少なければ、複数列であってもよい。また、第２下方熱交換部６９は、第２下方伝熱管６９ｂの空気流れに直交する方向における段数が６段となるように構成されている。
【００６６】
そして、第２上方熱交換部６８は、第１上方熱交換部６６と同様に、側面視において右上がりに傾斜しており、第２下方熱交換部６９は、第１下方熱交換部６７と同様に、側面視において右下がりに傾斜している。そして、第２上方熱交換部６８と第１上方熱交換部６６との鉛直面（壁面に対して平行に延びる鉛直面）に対する傾斜角度は同様であり、第２下方熱交換部６９と第１下方熱交換部６７との鉛直面（壁面に対して平行に延びる鉛直面）に対する傾斜角度は同様である。このように、第２主熱交換部６２は、第２上方熱交換部６８と第２下方熱交換部６９とが後方に向かって開く「く」の字形状を有するように配置されている。
【００６７】
（２−４−１−２）補助熱交換部
補助熱交換部６３は、主熱交換部６０の冷媒経路を延長するために主熱交換部６０の空気流れ方向上流側に配置される熱交換部であり、空気流れ方向の最も上流側に位置する熱交換部である。補助熱交換部６３と第２主熱交換部６２とは、空気流れ方向において第２隙間Ｓ２が存在するように配置されている。この第２隙間Ｓ２の空気流れ方向における幅Ｗ２は、第１隙間Ｓ１の空気流れ方向における幅Ｗ１よりも大きい。また、補助熱交換部６３は、暖房運転時（凝縮器として機能する場合）に液冷媒を過冷却する過冷却域として機能する熱交換部である。
【００６８】
補助熱交換部６３は、主として、前面側に位置する前面側補助熱交換部７０と、背面側に位置する背面側補助熱交換部７１と、から構成されており、主熱交換部６０の空気流れ方向上流側部分を９５％以上覆っている。前面側補助熱交換部７０と背面側補助熱交換部７１とは、側面視において略ハの字形状を有するように配置されている。前面側補助熱交換部７０は、前面側主熱交換部（第１前面側主熱交換部６４及び第２主熱交換部６２）の空気流れ方向上流側に取り付けられている。そして、前面側補助熱交換部７０は、より具体的には、第２主熱交換部６２の空気流れ方向上流側に位置している。背面側補助熱交換部７１は、背面側主熱交換部６５の空気流れ方向上流側に位置している。また、前面側補助熱交換部７０は、その上端が、仮想延長線Ｌ１よりも下方に位置している。また、前面側補助熱交換部７０は、後方に向かって開く「く」の字形状を有するように、上下方向における略中央部で折り曲げられている。そして、これにより、前面側補助熱交換部７０は、側面視において右上がりに傾斜し上方に位置する上方補助熱交換部７２と、側面視において右下がりに傾斜し下方に位置する下方補助熱交換部７３と、を有している。上方補助熱交換部７２と第１上方熱交換部６６及び第２上方熱交換部６８との鉛直面（壁面に対して平行に延びる鉛直面）に対する傾斜角度は同様であり、下方補助熱交換部７３と第１下方熱交換部６７及び第２下方熱交換部６９との鉛直面（壁面に対して平行に延びる鉛直面）に対する傾斜角度は同様である。さらに、前面側補助熱交換部７０は、上方補助熱交換部７２と下方補助熱交換部７３とが交差する補助交差部７６を有している。
【００６９】
上方補助熱交換部７２は、複数の上方補助伝熱フィン７２ａと、複数の上方補助伝熱フィン７２ａを厚み方向に貫通する複数の上方補助伝熱管７２ｂと、を有している。上方補助伝熱フィン７２ａは、幅広の平面部がケーシング４１の長手方向を向くように配置されている。上方補助伝熱管７２ｂは、ケーシング４１の長手方向に延びる直管から構成されている。尚、隣接する上方補助伝熱管７２ｂの長手方向一端同士は、Ｕ字管（図示せず）によって接続されている。上方補助熱交換部７２は、上方補助伝熱管７２ｂの空気流れ方向における列数が１列となるように構成されている。また、上方補助熱交換部７２は、上方補助伝熱管７２ｂの空気流れに直交する方向における段数が６段となるように構成されている。
【００７０】
下方補助熱交換部７３は、複数の下方補助伝熱フィン７３ａと、複数の下方補助伝熱フィン７３ａを厚み方向に貫通する複数の下方補助伝熱管７３ｂと、を有している。下方補助伝熱フィン７３ａは、幅広の平面部がケーシング４１の長手方向を向くように配置されている。第２上方伝熱フィン６８ａと、上方補助伝熱フィン７２ａ及び下方補助伝熱フィン７３ａとは、厚み方向に交互に配置されている。下方補助伝熱管７３ｂは、ケーシング４１の長手方向に延びる直管から構成されている。尚、隣接する下方補助伝熱管７３ｂの長手方向一端同士は、Ｕ字管（図示せず）によって接続されている。また、下方補助伝熱管７３ｂの管径は、上方補助伝熱管７２ｂの管径と同じである。下方補助熱交換部７３は、上方補助熱交換部７２と同様に、下方補助伝熱管７３ｂの空気流れ方向における列数が１列となるように構成されている。また、下方補助熱交換部７３は、下方補助伝熱管７３ｂの空気流れに直交する方向における段数が６段となるように構成されている。
【００７１】
背面側補助熱交換部７１は、その鉛直面（壁面に対して平行に延びる鉛直面）に対する傾斜角度が、背面側主熱交換部６５の鉛直面（壁面に対して平行に延びる鉛直面）に対する傾斜角度と同様である。背面側補助熱交換部７１は、複数の背面側補助伝熱フィン７１ａと、複数の背面側補助伝熱フィン７１ａの厚み方向に貫通する複数の背面側補助伝熱管７１ｂと、を有している。背面側補助伝熱フィン７１ａは、幅広の平面部がケーシング４１の長手方向を向くように配置されている。背面側補助伝熱管７１ｂは、ケーシング４１の長手方向に延びる直管から構成されている。尚、隣接する背面側補助伝熱管７１ｂの長手方向一端同士は、Ｕ字管（図示せず）によって接続されている。背面側補助伝熱管７１ｂは、管径が、上方補助伝熱管７３ａ及び下方補助伝熱管７３ｂの管径よりも大きく構成されている。具体的には、背面側補助伝熱管７１ｂの管径は、上方補助伝熱管７３ａ及び下方補助伝熱管７３ｂの管径の１２５％となっている。
【００７２】
背面側補助熱交換部７１は、背面側補助伝熱管７１ｂの空気流れ方向における列数が１列となるように構成されている。また、背面側補助熱交換部７１は、背面側補助伝熱管７１ｂの空気流れに直交する方向における段数が８段となるように構成されている。
【００７３】
尚、室内熱交換器４２には、その空気流れ方向上流側に、ケーシング４１の内部に着脱可能に装着される樹脂製のフィルタ（図示せず）が配置されている。フィルタは、室内熱交換器４２の表面が室内空気中の塵埃によって汚染されるのを防ぐために設けられている。
【００７４】
（２−４−１−３）その他の構成
図５は、冷房運転時の室内熱交換器４２における冷媒流れを示す室内熱交換器４２及び室内ファン４３の模式図である。図６は、暖房運転時の室内熱交換器４２における冷媒流れを示す室内熱交換器４２及び室内ファン４３の模式図である。尚、図５及び図６の配管に沿って示す矢印が、冷媒の流れを表している。
【００７５】
室内熱交換器４２は、主熱交換部６０及び補助熱交換部６３の他に、図５及び図６に示すように、第１分流器８１と、連絡配管８１ａと、複数（本実施形態では、２つ）の第１分岐管８２ａ，８２ｂと、第２分流器８３と、複数（本実施形態では、４つ）の第２分岐管８４ａ〜８４ｄと、第３分流器８５と、複数（本実施形態では、４つ）の第３分岐管８６ａ〜８６ｄと、第４分流器８７と、第４分岐管８８ａ〜８８ｄと、を有している。
【００７６】
第１分流器８１は、冷媒流れ方向における補助熱交換部６３（具体的には、背面側補助熱交換部７１）と主熱交換部６０（具体的には、前面側主熱交換部）との間に配置されている。そして、第１分流器８１は、一端が連絡配管８１ａに接続されており、他端が第１分岐管８２ａ，８２ｂに接続されている。第１分流器８１は、冷房運転時に背面側補助熱交換部７１から連絡配管８１ａを介して流れてくる冷媒を複数の第１分岐管８２ａ，８２ｂに分流させ、暖房運転時に主熱交換部６０から第１分岐管８２ａ，８２ｂを介して流れてくる冷媒を合流して１の連絡配管８１ａに流す機能を有している。
【００７７】
連絡配管８１ａは、一端が背面側補助伝熱管７１ｂに接続され他端が第１分流器８１に接続されている。
【００７８】
第１分岐管８２ａ，８２ｂは、各々、一端が第１分流器８１に接続されている。そして、第１分岐管８２ａは、他端が第２分流器８３に接続されている。第１分岐管８２ｂは、他端が第３分流器８５に接続されている。
【００７９】
第２分流器８３は、冷媒流れ方向における補助熱交換部６３（具体的には、背面側補助熱交換部７１）と主熱交換部６０（具体的には、前面側主熱交換部における第２上方熱交換部６８）との間に配置されている。そして、第２分流器８３は、一端が第１分岐管８２ａに接続されており、他端が第２分岐管８４ａ〜８４ｄに接続されている。第２分流器８３は、冷房運転時に背面側補助熱交換部７１から第１分岐管８２ａを介して流れてくる冷媒を第２分岐管８４ａ〜８４ｄに分流させ、暖房運転時に主熱交換部６０から第２分岐管８４ａ〜８４ｄを介して流れてくる冷媒を合流して１の第１分岐管８２ａに流す機能を有している。
【００８０】
第３分流器８５は、冷媒流れ方向における補助熱交換部６３（具体的には、背面側補助熱交換部７１）と主熱交換部６０（具体的には、前面側主熱交換部における第１下方熱交換部６７及び第２下方熱交換部６９）との間に配置されている。そして、第３分流器８５は、一端が第１分岐管８２ｂに接続されており、他端が第３分岐管８６ａ〜８６ｄに接続されている。第３分流器８５は、冷房運転時に背面側補助熱交換部７１から第１分岐管８２ｂを介して流れてくる冷媒を第３分岐管８６ａ〜８６ｄに分流させ、暖房運転時に主熱交換部６０から第３分岐管８６ａ〜８６ｄを介して流れてくる冷媒を合流して１の第１分岐管８２ｂに流す機能を有している。
【００８１】
第２分岐管８４ａ〜８４ｄは、各々、一端が第２分流器８３に接続されており、他端が第２上方熱交換部６８の別々の第２上方伝熱管６８ｂに接続されている。第３分岐管８６ａ〜８６ｄは、各々、一端が第３分流器８５に接続されており、他端が第２下方熱交換部６９の別々の第２下方伝熱管６９ｂや第１下方熱交換部６７の第１下方伝熱管６７ｂに接続されている。
【００８２】
第４分流器８７は、主熱交換部６０（具体的には、背面側主熱交換部６５）の冷房運転時における冷媒流れ方向下流側に配置されている。第４分流器８７は、一端が第４分岐管８８ａ〜８８ｄに接続されており、他端が冷媒連絡配管８に接続される冷媒配管（図示せず）に接続されている。第４分流器８７は、冷房運転時に背面側主熱交換部６５から第４分岐管８８ａ〜８８ｄを介して流れてくる冷媒を合流させて１の上記冷媒配管に流し、暖房運転時に上記冷媒配管から流れてくる冷媒を第４分岐管８８ａ〜８８ｄに分流させる機能を有している。
【００８３】
第４分岐管８８ａ〜８８ｄは、各々、一端が第４分流器８７に接続されており、他端が背面側主熱交換部６５の別々の背面側主伝熱管６５ｂに接続されている。
【００８４】
以上のように、本実施形態では、前面側補助熱交換部７０の下方補助伝熱管７３ｂ及び上方補助伝熱管７２ｂ、背面側補助熱交換部７１の背面側補助伝熱管７１ｂ、第２上方熱交換部６８の第２上方伝熱管６８ｂ、第２下方熱交換部６９の第２下方伝熱管６９ｂ、第１上方熱交換部６６の第１上方伝熱管６６ｂ、第１下方熱交換部６７の第１下方伝熱管６７ｂ、背面側主熱交換部６５の背面側主伝熱管６５ｂ、上述した各Ｕ字管、連絡配管８１ａ、第１分流器８１、第１分岐管８２ａ，８２ｂ、第２分流器８３、第２分岐管８４ａ〜８４ｄ、第３分流器８５、第３分岐管８６ａ〜８６ｄ、第４分流器８７及び第４分岐管８８ａ〜８８ｄによって、室内熱交換器４２における冷媒が流れるための冷媒経路が形成されている。そして、前面側補助熱交換部７０の下方補助伝熱管７３ｂ及び上方補助伝熱管７２ｂと、接続配管（図示せず）と、背面側補助伝熱管７１ｂと、各Ｕ字管とによって、補助熱交換部６３における冷媒が流れるための冷媒経路が形成されている。尚、接続配管とは、上方補助伝熱管７２ｂの冷媒流れ方向下流側と背面側補助伝熱管７１ｂの冷媒流れ方向上流側とを接続する配管である。また、前面側主熱交換部の各伝熱管６６ｂ，６７ｂ，６８ｂ，６９ｂ，６５ｂと、各Ｕ字管とによって、主熱交換部６０における冷媒が流れるための冷媒経路が形成されている。
【００８５】
（２−４−２）冷媒流れ
以下、図５及び図６を用いて、冷暖房運転時の室内熱交換器４２における冷媒流れについて説明する。
【００８６】
（２−４−２−１）冷房運転時
冷房運転時は、室内熱交換器４２は、冷媒の蒸発器として機能する。そして、冷房運転時、室内熱交換器４２において、冷媒は、補助熱交換部６３の冷媒経路から主熱交換部６０の冷媒経路へと流れていく（図５の配管に沿った太線の矢印を参照）。具体的に説明すると、まず、膨張機構２４で減圧された気液二相状態の冷媒は、冷媒連絡配管７及びこれに接続される冷媒配管（図示せず）を介して、補助熱交換部６３の下方補助熱交換部７３の下から１段目の伝熱管７３ｂに流入する。すなわち、冷房運転時は、補助熱交換部６３の下方補助熱交換部７３の下方補助伝熱管７３ｂが、室内熱交換器４２に冷媒を導入するための冷媒入口を構成している。そして、補助熱交換部６３の下方補助伝熱管７３ｂを流れた冷媒は、上方補助熱交換部７２の上方補助伝熱管７２ｂへと流れる。そして、接続配管を介して、最終的に、背面側補助熱交換部７１の背面側補助伝熱管７１ｂを流れていく。補助熱交換部６３の冷媒経路においては、冷媒が液状態からガス状態へと変化している。
【００８７】
そして、背面側補助伝熱管７１ｂを流れた冷媒は、連絡配管８１ａを介して補助熱交換部６３の外部に流れていく。具体的には、連絡配管８１ａに流れた冷媒は、第１分流器８１において、複数（本実施形態では、２つ）の第１分岐管８２ａ，８２ｂに分岐される。
【００８８】
第１分岐管８２ａを流れた冷媒は、第２分流器８３において、複数（本実施形態では、４つ）の第２分岐管８４ａ〜８４ｄに分岐される。他方、第１分岐管８２ｂを流れた冷媒は、第３分流器８５において、複数（本実施形態では、４つ）の第３分岐管８６ａ〜８６に分岐される。第２分岐管８４ａ〜８４ｄ及び第３分岐管８６ａ〜８６ｄに分岐された冷媒は、それぞれ、主熱交換部６０（具体的には、前面側主熱交換部）に流入する。具体的には、第２分岐管８４ａ〜８４ｄを流れる冷媒は、各々、第２主熱交換部６２の別々の第２上方伝熱管６８ｂに流入し、第３分岐管８６ａ〜８６ｄを流れる冷媒は、各々、第２主熱交換部６２の別々の第２下方伝熱管６９ｂや第１主熱交換部６１の第１下方伝熱管６７ｂに流入する。その後、主熱交換部６０において、冷媒は、前面側主熱交換部（第１上方熱交換部６６、第１下方熱交換部６７、第２上方熱交換部６８及び第２下方熱交換部６９）の各伝熱管６６ｂ，６７ｂ，６８ｂ，６９ｂから背面側主熱交換部６５の背面側主伝熱管６５ｂへと流れていく。そして、背面側主熱交換部６５の背面側主伝熱管６５ｂを流れる冷媒は、背面側主熱交換部６５の背面側主伝熱管６５ｂに接続される第４分岐管８８ａ〜８８ｄに流入する。尚、主熱交換部６０を８の冷媒経路で流れる冷媒は、図示はしないが、途中で、各々の出口側が第４分岐管８８ａ〜８８ｄに接続される４の冷媒経路に変更されている。そして、第４分岐管８８ａ〜８８ｄに流入した冷媒は、第４分流器８７で合流されて冷媒連絡配管８に接続される冷媒配管に流れることになる。このように、冷房運転時は、第４分流器８７が、室内熱交換器４２を流れる冷媒を外部へと流出させる冷媒出口を構成している。
【００８９】
（２−４−２−２）暖房運転時
暖房運転時は、室内熱交換器４２は、冷媒の凝縮器として機能する。そして、暖房運転時、室内熱交換器４２において、冷媒は、主熱交換部６０の冷媒経路から補助熱交換部６３の冷媒経路へと流れていく（図６の配管に沿った太線の矢印を参照）。すなわち、冷房運転時における冷媒流れの方向と逆の方向に冷媒が流れることになる。尚、本実施形態では、制御部によって、補助熱交換部６３の冷媒経路の入口において液冷媒が流入するように制御され、これにより、補助熱交換部６３の冷媒経路において、概ね過冷却の液冷媒が流れるように制御されている。
【００９０】
冷媒流れについて具体的に説明すると、まず、圧縮機２１から吐出されて冷媒連絡配管８に接続される冷媒配管を流れてくる高圧のガス冷媒は、第４分流器８７を介して主熱交換部６０（具体的には、背面側主熱交換部６５の背面側主伝熱管６５ｂ）に流入する。すなわち、暖房運転時は、第４分流器８７が、室内熱交換器４２に冷媒を導入するための冷媒入口を構成している。具体的には、冷媒連絡配管８に接続される冷媒配管を流れてくる冷媒は、第４分流器８７において、複数（本実施形態では、４つ）の第４分岐管８８ａ〜８８ｄに分岐される。第４分岐管８８ａ〜８８ｄに分岐された冷媒は、各々、背面側主熱交換部６５の別々の背面側主伝熱管６５ｂに流入する。そして、背面側主熱交換部６５の背面側主伝熱管６５ｂに流入した冷媒は、その後、前面側主熱交換部（第１上方熱交換部６６、第１下方熱交換部６７、第２上方熱交換部６８及び第２下方熱交換部６９）の各伝熱管６６ｂ，６７ｂ，６８ｂ，６９ｂを流れ、第２分岐管８４ａ〜８４ｄ及び第３分岐管８６ａ〜８６ｄに流入する。尚、主熱交換部６０を４の冷媒経路で流れる冷媒は、図示はしないが、途中で、各々の出口側が第２分岐管８４ａ〜８４ｄ及び第３分岐管８６ａ〜８６ｄに接続される８の冷媒経路に変更されている。そして、第２分岐管８４ａ〜８４ｄに流入した冷媒は、第２分流器８３で合流されて第１分岐管８２ａへと流れる。他方、第３分岐管８６ａ〜８６ｄに流入した冷媒は、第３分流器８５で合流されて第１分岐管８２ｂへと流れる。
【００９１】
第１分岐管８２ａ及び第１分岐管８２ｂを流れる冷媒は、第１分流器８１において合流され、連絡配管８１ａを介して、背面側補助熱交換部７１の背面側補助伝熱管７１ｂに流入する。そして、背面側補助伝熱管７１ｂを流れる冷媒は、次に、前面側補助熱交換部７０へと流れる。具体的には、前面側補助熱交換部７０では、冷媒は、まず、上方補助熱交換部７２の上方補助伝熱管７２ｂを流れ、その後、下方補助熱交換部７３の下方補助伝熱管７３ｂへと流れる。最終的に、下方補助熱交換部７３の下から１段目の伝熱管７３ｂを介して、室内熱交換器４２の外部、すなわち、冷媒連絡配管７に接続される冷媒配管に流れることになる。このように、暖房運転時は、下方補助熱交換部７３の下方補助伝熱管７３ｂが、室内熱交換器４２を流れる冷媒を外部へと流出させる冷媒出口を構成している。
【００９２】
（３）特徴
（３−１）
従来、例えば、特許文献１（特開２０１０−６５８９９号公報）に開示の空気調和装置では、室内における熱交換器として、前側熱交換器と後側熱交換器とから構成される本体熱交換器としての室内熱交換器と、前側熱交換器の前面及び後面にそれぞれ取り付けられて冷媒の過冷却を促進する補助熱交換器と、が設けられている。この空気調和装置のように、本体熱交換器は、通常、前側熱交換器と後側熱交換器とが逆Ｖ字形状となるように配置されて構成されている。そして、前側熱交換器は、側面視において、上端部分が前方下向きに傾斜し中央部分が鉛直方向に延在し下端部分が後方下向きに傾斜するように、構成されている。そして、上端部分と中央部分との間及び中央部分と下端部分との間には、隙間が存在している。
【００９３】
ここで、近年、省エネ性の高まりと共に、熱交換器の高性能化が要求されている。そして、この要求に応えるために、本体熱交換器における伝熱管の多列化が進んでいる。しかし、伝熱管を多列化していくと、上記空間が大きくなり、不要な隙間が生じてしまう。さらに、熱交換器における伝熱管の多列化により、熱交換器のサイズが大きくなるため、限られた空間に収容することが難しくなると考えられる。
【００９４】
そこで、本実施形態では、まず、主熱交換部６０を、第１主熱交換部６１と第２主熱交換部６２とに分割している。そして、本実施形態では、さらに、主熱交換部６０のうち空気流れ方向上流側に位置する第２主熱交換部６２において、上方に位置する第２上方熱交換部６８を、側面視において、その上端が、第１上方熱交換部６６の上端の仮想延長線Ｌ１よりも下方に位置するように配置している。すなわち、第２上方熱交換部６８を、隙間Ｓが形成されている側（下側）にずらしている。そして、これにより、第２上方熱交換部６８が隙間Ｓを空気流れ方向上流側から覆うようになっている。また、第１交差部７４が、第２交差部７５を通過する空気の流れ方向下流側の位置からずれるようになっている。
【００９５】
このように、従来では、主熱交換部を多列化してしまうと、主熱交換部の上端が仮想延長線Ｌ１に相当する線に沿って上方へと延びてしまい、室内熱交換器自体がサイズアップしてしまうが、本実施形態では、主熱交換部６０を分割し、空気流れ方向上流側に位置する第２主熱交換部６２のうち第２上方熱交換部６８を下側へとずらしているので、多列化したとしても、主熱交換部６０、ひいては、室内熱交換器４２全体のサイズアップを抑制できている。よって、ケーシング４１の内部空間のように限られた空間に収容しやすくなる。
【００９６】
さらに、本来、主熱交換部を多列化してしまうと、主熱交換部における隙間が大きくなる。そして、この隙間が大きくなると、この隙間に空気が通りやすくなってしまい、室内熱交換器における熱交換量が低減してしまう。このため、空気の通り抜けを回避するシール部材をより大きくする必要も出てくる。
【００９７】
しかし、本実施形態では、第２主熱交換部６２のうち第２上方熱交換部６８を下側にずらしていることにより、主熱交換部６０における隙間を小さくできている。よって、不要な隙間を低減できている。よって、シール部材７９のサイズアップも抑制でき、コストの増大も抑制できている。
【００９８】
（３−２）
本実施形態では、第２交差部７５は、第１交差部７４と補助交差部７６とを結ぶ仮想直線Ｌ６上から外れるように配置されている。すなわち、本実施形態では、室内熱交換器４２において、第２主熱交換部６２の第２上方熱交換部６８のみを上下方向にずらしていることになる。
【００９９】
このように、本実施形態では、多列化が望まれるが多列化するとサイズアップが懸念される主熱交換部６０を、第１主熱交換部６１と第２主熱交換部６２とに分割し、空気流れ方向上流側に位置する第２主熱交換部６２を隙間Ｓ側（下側）へとずらしている。よって、主熱交換部６０のコンパクト化を図りながら主熱交換部６０における熱交換量の増大を図ることができている。さらに、主熱交換部６０における隙間も小さくできるので、不要な隙間の低減もできている。
【０１００】
（３−３）
例えば、主熱交換部６０が、その上端が仮想延長線Ｌ１に沿って延びるように多列化されたとすると、第１主熱交換部６１、第２主熱交換部６２及び補助熱交換部６３の間には、上記空間Ｓ４に相当する空間が生じる。このような空間は、不要なスペースとなり、さらに、空気が流れやすくなるので室内熱交換器における熱交換量が低減することが懸念される。
【０１０１】
そこで、本実施形態では、第２主熱交換部６２を、その一部（具体的には、第２主熱交換部６８の下端部）が、側面視において空間Ｓ４に位置するように配置している。よって、不要なスペースを低減できる。また、この空間Ｓ４に空気が流れたとしても第２主熱交換部６８の一部が位置しているので、熱交換がされるようになっている。
【０１０２】
（３−４）
補助交差部７６では、その空気流れ方向上流側に隙間が存在している。このため、空気が流れやすくなっている。
【０１０３】
そこで、本実施形態では、第２主熱交換部６２の第２上方伝熱フィン６８ａを、側面視において、一部（下端部であって空気流れ方向上流側部分）が、補助交差部７６に重なるようにしている。そして、第２上方伝熱フィン６８ａと、上方補助伝熱フィン７２ａ及び下方補助伝熱フィン７３ａとを、厚み方向に交互に配置している。
【０１０４】
これにより、補助交差部７６における空気の通り抜けをできるだけ回避できる。よって、室内熱交換器４２における熱交換効率の低下を抑制できている。
【０１０５】
（３−５）
本実施形態では、室内熱交換器４２が凝縮器として機能する場合、補助熱交換部６３の冷媒経路に、概ね、過冷却の液冷媒が流れるように制御している。すなわち、補助熱交換部６３の冷媒経路は、液冷媒を過冷却液にする過冷却域として機能している。
【０１０６】
これにより、冷媒の過冷却度を大きくとることができるので、空気調和装置１の省エネ性を向上できる。
【０１０７】
（３−６）
本実施形態では、第２主熱交換部６２と補助熱交換部６３との間に存在する第２隙間Ｓ２の空気流れ方向における幅Ｗ２は、第１主熱交換部６１と第２主熱交換部６２との間に存在する第１隙間Ｓ１の空気流れ方向におけるＷ１よりも大きい。
【０１０８】
ここで、上述したように、補助熱交換部６３の冷媒経路には、概ね過冷却の液冷媒が流れており、主熱交換部６０の冷媒経路を流れる冷媒との間で、温度差が生じると考えられる。よって、上述のように隙間Ｓ１，Ｓ２の空気流れ方向における幅を変えることで、概ね過冷却冷媒が流れる補助熱交換部６３の冷媒経路と、主熱交換部６０の冷媒経路との間で、冷媒間の温度差が生じたとしても、これらの間での熱伝導を回避できるようになっている。よって、暖房時の室内熱交換器４２の性能を維持できる。
【０１０９】
（３−７）
本実施形態では、第２主熱交換部６２は、第２上方熱交換部６８と第２下方熱交換部６９とに分割されている。
【０１１０】
これにより、第２上方熱交換部６８を下側にずらしても第２下方熱交換部６９が一体的に下側にずれないので、第２上方熱交換部６８を下側にずらしやすい。よって、主熱交換部６０、ひいては、室内熱交換器４２のコンパクト化をより図ることができる。
【０１１１】
（３−８）
本実施形態では、補助熱交換部６３は、主熱交換部６０の空気流れ方向上流側部分を、空気流れ方向上流側から９５％以上覆っている。すなわち、本実施形態では、過冷却域として使用される補助熱交換部６３の冷媒経路をできるだけ長くとっている。よって、補助熱交換部６３の冷媒経路において、十分に冷媒を過冷却することができるので、冷媒の過冷却度を大きくとることができるようになっている。よって、本実施形態の空気調和装置１では、省エネ性を向上しやすい。
【０１１２】
（４）変形例
以上、本発明の実施形態について図面に基づいて説明したが、具体的な構成は、上記実施形態に限られるものではなく、発明の要旨を逸脱しない範囲で変更可能である。
【０１１３】
（４−１）
上記実施形態では、第１上方熱交換部６６と第１下方熱交換部６７とが一体的に形成されていることを前提として説明したがこれに限られるものではなく、第１上方熱交換部６６と第１下方熱交換部６７とは分割されていてもよい。この場合、上記の第１交差部７４は、第１上方熱交換部６６と第１下方熱交換部６７とが仮想的に交差する部分を意味することになる。
【０１１４】
また、上記実施形態では、第２上方熱交換部６８と第２下方熱交換部６９とが別体であると説明したが、第２上方熱交換部６８と第２下方熱交換部６９とは、一体的に構成されていてもよい。この場合、上記の第２交差部７５は、第２上方熱交換部６８と第２下方熱交換部６９とが実際に交差する部分を意味することになる。
【０１１５】
また、上記実施形態では、上方補助熱交換部７２と下方補助熱交換部７３とが一体的に形成されていることを前提として説明したがこれに限られるものではなく、上方補助熱交換部７２と下方補助熱交換部７３とは分割されていてもよい。この場合、上記の補助交差部７６は、上方補助熱交換部７２と下方補助熱交換部７３とが仮想的に交差する部分を意味することになる。
【０１１６】
以上のような場合であっても、上記実施形態と同様の作用効果を得ることができる。
【０１１７】
（４−２）
上記実施形態では、第２主熱交換部６２のうち上方に位置する第２上方熱交換部６８を隙間Ｓ側にずらすと説明した。しかし、これに限られるものではない。
【０１１８】
具体的には、第２主熱交換部６２のうち下方に位置する第２下方熱交換部６９を隙間Ｓ側（すなわち、上側）にずらしてもよい。
【０１１９】
この場合、第２下方熱交換部６９は、その下端が、第１下方熱交換部６７の下端の延長線（図示せず）よりも上方に位置することになる。よって、第２上方熱交換部６８ではなく、第２下方熱交換部６９が、隙間Ｓを空気流れ方向上流側から覆うことになる。そして、第２下方熱交換部６９の一部（上端部）が、空間Ｓ４に位置することになる。
【０１２０】
さらに、第２上方伝熱フィン６８ａではなく第２下方伝熱フィン６９ａが、側面視において、その一部（上端部であって空気流れ方向上流側部分）が補助交差部７６に重なり、上方補助伝熱フィン７２ａ及び下方補助伝熱フィン７３ａと厚み方向に交互に配置されることになる。
【０１２１】
尚、この場合、下方補助熱交換部７３も、その下端位置が上方にずれるように配置する必要がある。
【０１２２】
以上のような場合であっても、上記実施形態と同様の作用効果を得ることができる。
【産業上の利用可能性】
【０１２３】
以上のように、本発明は、主熱交換部と補助熱交換部とを備える熱交換器であれば、種々適用できる。
【符号の説明】
【０１２４】
１              空気調和装置
４２            室内熱交換器（熱交換器）
６０            主熱交換部
６２            第２主熱交換部
６３            補助熱交換部
６５            背面側主熱交換部
６６            第１上方熱交換部
６６ａ          第１上方伝熱フィン
６６ｂ          第１上方伝熱管
６７            第１下方熱交換部
６７ａ          第１下方伝熱フィン
６７ｂ          第１下方伝熱管
６８            第２上方熱交換部
６８ａ          第２上方伝熱フィン
６８ｂ          第２上方伝熱管
６９            第２下方熱交換部
６９ａ          第２下方伝熱フィン
６９ｂ          第２下方伝熱管
７０            前面側補助熱交換部
７１            背面側補助熱交換部
７２            上方補助熱交換部
７２ａ          上方補助伝熱フィン
７２ｂ          上方補助伝熱管
７３            下方補助熱交換部
７３ａ          下方補助伝熱フィン
７３ｂ          下方補助伝熱管
７４            第１交差部
７５            第２交差部
７６            補助交差部
Ｌ２            仮想下端延長線
Ｌ３            仮想上端延長線
Ｌ６            仮想直線
Ｐ１            補助熱交換部の空気流れ方向下流側において仮想下端延長線と交わる点
Ｐ２            補助熱交換部の空気流れ方向下流側において仮想上端延長線と交わる点
Ｓ              隙間
Ｓ１            第１隙間
Ｓ２            第２隙間
【先行技術文献】
【特許文献】
【０１２５】
【特許文献１】特開２０１０−６５８９９号公報
【図１】
2014040983.tif 000003
【図２】
2014040983.tif 000004
【図３】
2014040983.tif 000005
【図４】
2014040983.tif 000006
【図５】
2014040983.tif 000007
【図６】
2014040983.tif 000008